(57)【要約】【課題】被印刷媒体に印刷する画像の位置合わせを支援する。【解決手段】被印刷媒体を保持する保持部を備える印刷装置と接続される情報処理装置であって、前記保持部に保持された前記被印刷媒体を撮像した撮像画像を作成する撮像部と、前記撮像画像を補正して、前記被印刷媒体上に印刷する画像の位置合わせに用いられる背景画像を作成する補正部と、前記背景画像が背景に表示された画面であって、前記被印刷媒体上に印刷する印刷対象画像と、前記被印刷媒体上における前記印刷対象画像の位置とを前記背景上で指定するための画面を表示する表示部と、前記画面で指定された前記印刷対象画像を前記画面で指定された前記位置に印刷するための印刷データを作成する印刷データ作成部と、を有する、ことを特徴とする。【選択図】図１２
2018196074.tif 000002
【特許請求の範囲】
【請求項１】
被印刷媒体を保持する保持部を備える印刷装置と接続される情報処理装置であって、
前記保持部に保持された前記被印刷媒体を撮像した撮像画像を作成する撮像部と、
前記撮像画像を補正して、前記被印刷媒体上に印刷する画像の位置合わせに用いられる背景画像を作成する補正部と、
前記背景画像が背景に表示された画面であって、前記被印刷媒体上に印刷する印刷対象画像と、前記被印刷媒体上における前記印刷対象画像の位置とを前記背景上で指定するための画面を表示する表示部と、
前記画面で指定された前記印刷対象画像を前記画面で指定された前記位置に印刷するための印刷データを作成する印刷データ作成部と、
を有する、ことを特徴とする情報処理装置。
【請求項２】
前記補正部は、
前記撮像画像において、前記保持部に保持された前記被印刷媒体の印刷可能領域の境界を検出し、前記印刷可能領域により示される画像を補正して、前記背景画像を作成する、ことを特徴とする請求項１に記載の情報処理装置。
【請求項３】
前記補正部は、
前記撮像画像から前記印刷可能領域に示される画像を切り出して、該切り出した画像に対して、回転、拡大、縮小及び歪み補正の少なくとも１つを行うことで、前記背景画像を作成する、ことを特徴とする請求項２に記載の情報処理装置。
【請求項４】
前記補正部は、
ユーザにより設定されたサイズ及び向きとなるように、前記回転、拡大、縮小及び歪み補正の少なくとも１つを行うことで、前記背景画像を作成する、ことを特徴とする請求項３に記載の情報処理装置。
【請求項５】
前記印刷データを前記印刷装置に送信する送信部を有する、ことを特徴とする請求項１乃至４の何れか一項に記載の情報処理装置。
【請求項６】
前記被印刷媒体には、予めマーカが付与されており、
前記撮像部は、
前記保持部に保持され、前記マーカが付与された前記被印刷媒体を撮像した撮像画像を作成し、
前記補正部は、
前記撮像画像を補正して、前記マーカが含まれる前記背景画像を作成する、ことを特徴とする請求項１乃至５の何れか一項に記載の情報処理装置。
【請求項７】
被印刷媒体を保持する保持部を備える印刷装置と接続されるコンピュータが実行する情報処理方法であって、
前記保持部に保持された前記被印刷媒体を撮像した撮像画像を作成する撮像手順と、
前記撮像画像を補正して、前記被印刷媒体上に印刷する画像の位置合わせに用いられる背景画像を作成する補正手順と、
前記背景画像が背景に表示された画面であって、前記被印刷媒体上に印刷する印刷対象画像と、前記被印刷媒体上における前記印刷対象画像の位置とを前記背景上で指定するための画面を表示する表示手順と、
前記画面で指定された前記印刷対象画像を前記画面で指定された前記位置に印刷するための印刷データを作成する印刷データ作成手順と、
を有する、ことを特徴とする情報処理方法。
【請求項８】
被印刷媒体を保持する保持部を備える印刷装置と、該印刷装置と接続される情報処理システムであって、
前記保持部に保持された前記被印刷媒体を撮像した撮像画像を作成する撮像部と、
前記撮像画像を補正して、前記被印刷媒体上に印刷する画像の位置合わせに用いられる背景画像を作成する補正部と、
前記背景画像が背景に表示された画面であって、前記被印刷媒体上に印刷する印刷対象画像と、前記被印刷媒体上における前記印刷対象画像の位置とを前記背景上で指定するための画面を表示する表示部と、
前記画面で指定された前記印刷対象画像を、前記画面で指定された前記位置に印刷するための印刷データを作成する印刷データ作成部と、
前記印刷データを前記印刷装置で前記被印刷媒体に印刷する印刷部と、
を有する、ことを特徴とする情報処理システム。
【請求項９】
被印刷媒体を保持する保持部を備える印刷装置と接続されるコンピュータに、
前記保持部に保持された前記被印刷媒体を撮像した撮像画像を作成する撮像手順と、
前記撮像画像を補正して、前記被印刷媒体上に印刷する画像の位置合わせに用いられる背景画像を作成する補正手順と、
前記背景画像が背景に表示された画面であって、前記被印刷媒体上に印刷する印刷対象画像と、前記被印刷媒体上における前記印刷対象画像の位置とを前記背景上で指定するための画面を表示する表示手順と、
前記画面で指定された前記印刷対象画像を前記画面で指定された前記位置に印刷するための印刷データを作成する印刷データ作成手順と、
を実行させることを特徴とするプログラム。
【発明の詳細な説明】
【技術分野】
【０００１】
本発明は、情報処理装置、情報処理方法、情報処理システム、及びプログラムに関する。
【背景技術】
【０００２】
Ｔシャツ等の布地に対して印刷を行う印刷装置において、布地の任意の位置に任意の画像を印刷する際に、被印刷媒体（布地）に付与された所定のマーカに基づいて、画像の印刷位置の位置合わせを行う技術が知られている。
【０００３】
また、入力された任意の入力画像を編集し、被記録媒体上のスクリーン印刷が施された部分に位置合わせをして記録することができるインクジェット記録装置が知られている（例えば特許文献１参照）。
【発明の概要】
【発明が解決しようとする課題】
【０００４】
しかしながら、上記の従来技術では、予め決められたパターンのマーカを被印刷媒体に付与する必要があった。すなわち、例えば、ユーザにより付与された任意のマーカ等を基準として、被印刷媒体に印刷する画像の位置合わせを行うことができなかった。
【０００５】
本発明の実施の形態は、上記の点に鑑みてなされたもので、被印刷媒体に印刷する画像の位置合わせを支援することを目的とする。
【課題を解決するための手段】
【０００６】
上記目的を達成するため、本発明の実施の形態は、被印刷媒体を保持する保持部を備える印刷装置と接続される情報処理装置であって、前記保持部に保持された前記被印刷媒体を撮像した撮像画像を作成する撮像部と、前記撮像画像を補正して、前記被印刷媒体上に印刷する画像の位置合わせに用いられる背景画像を作成する補正部と、前記背景画像が背景に表示された画面であって、前記被印刷媒体上に印刷する印刷対象画像と、前記被印刷媒体上における前記印刷対象画像の位置とを前記背景上で指定するための画面を表示する表示部と、前記画面で指定された前記印刷対象画像を前記画面で指定された前記位置に印刷するための印刷データを作成する印刷データ作成部と、を有する、ことを特徴とする。
【発明の効果】
【０００７】
本発明の実施の形態によれば、被印刷媒体に印刷する画像の位置合わせを支援することができる。
【図面の簡単な説明】
【０００８】
【図１】本実施形態に係る印刷システムのシステム構成の一例を示す図である。
【図２】本実施形態に係る端末装置のハードウェア構成の一例を示す図である。
【図３】本実施形態に係る印刷装置に含まれる本体装置のハードウェア構成の一例を示す図である。
【図４】本実施形態に係る印刷装置のカセットを取り外した状態の外観斜視説明図である。
【図５】本実施形態に係る印刷装置のカセットを装着した状態の外観斜視説明図である。
【図６】本実施形態に係るカセットの一例の外観斜視説明図である。
【図７】本実施形態に係るカセットのプラテン外周カバーを開いた状態の一例の外観斜視説明図である。
【図８】本実施形態に係る印刷システムの機能構成の一例を示す図である。
【図９】事前準備手順の一例を説明する図である。
【図１０】本実施形態に係る印刷処理の一例を示すシーケンス図である。
【図１１】被印刷媒体をセットしたカセットを撮像するまでの画面遷移の一例を示す図である。
【図１２】背景画像データの作成の一例を説明する図である。
【図１３】印刷画像作成画面の一例を示す図である。
【発明を実施するための形態】
【０００９】
以下、本発明の実施の形態について、図面を参照しながら詳細に説明する。
【００１０】
＜システム構成＞
まず、本実施形態に係る印刷システム１のシステム構成について、図１を参照しながら説明する。図１は、本実施形態に係る印刷システム１のシステム構成の一例を示す図である。
【００１１】
図１に示すように、本実施形態に係る印刷システム１は、端末装置１０と、印刷装置２０と有する。また、端末装置１０と、印刷装置２０とは、例えばＬＡＮ（Local Area Network）等のネットワークＮを介して通信可能に接続される。
【００１２】
端末装置１０は、ユーザが利用するスマートフォンやタブレット端末等のコンピュータである。ユーザは、端末装置１０を用いて、例えば任意のマーカが付与された被印刷媒体を撮像することで、当該被印刷媒体に印刷する画像の指定や位置合わせを行うことができるようになる。被印刷媒体としては、例えば、ＴシャツやＹシャツ、トレーナー、タオル、ハンカチ等の布地が挙げられる。以降では、被印刷媒体は、Ｔシャツ等の布地であるものとして説明する。
【００１３】
ただし、被印刷媒体は、布地に限られない。被印刷媒体には、例えば、紙や革、プラスチック、プリプレグ等が用いられても良い。また、例えば、バック等の製品の一部が布地になっている等、完成品の一部が被印刷媒体となっていても良い。
【００１４】
なお、端末装置１０は、被印刷媒体を撮像可能なコンピュータであれば良く、例えば、ノート型ＰＣやゲーム機器、デジタルカメラ等が用いられても良い。
【００１５】
印刷装置２０は、被印刷媒体に画像を形成する画像形成装置である。印刷装置２０には、被印刷媒体に画像を形成するための本体装置３０と、当該被印刷媒体を保持するカセット４０とが含まれる。印刷装置２０の本体装置３０は、カセット４０に保持された被印刷媒体に対して、画像を印刷することができる。
【００１６】
なお、図１に示す印刷システム１の構成は一例であって、他の構成であっても良い。例えば、本実施形態に係る印刷システム１には、複数台の端末装置１０が含まれていても良い。同様に、例えば、本実施形態に係る印刷システム１には、複数台の印刷装置２０が含まれていても良い。
【００１７】
＜ハードウェア構成＞
≪端末装置１０≫
次に、本実施形態に係る端末装置１０のハードウェア構成について、図２を参照しながら説明する。図２は、本実施形態に係る端末装置１０のハードウェア構成の一例を示す図である。
【００１８】
図２に示すように、本実施形態に係る端末装置１０は、入力装置１１と、表示装置１２と、外部Ｉ／Ｆ１３と、通信Ｉ／Ｆ１４と、ＲＯＭ（Read Only Memory）１５とを有する。また、本実施形態に係る端末装置１０は、ＲＡＭ（Random Access Memory）１６と、ＣＰＵ（Central Processing Unit）１７と、補助記憶装置１８と、撮像装置１９とを有する。これら各ハードウェアは、バスＢにより相互に接続されている。
【００１９】
入力装置１１は、キーボードやマウス、タッチパネル等であり、各種操作を入力するのに用いられる。表示装置１２は、ディスプレイ等であり、端末装置１０による処理結果を表示する。
【００２０】
外部Ｉ／Ｆ１３は、外部装置とのインタフェースである。外部装置には、記録媒体１３ａ等がある。端末装置１０は、外部Ｉ／Ｆ１３を介して、記録媒体１３ａの読み取りや書き込みを行うことができる。
【００２１】
記録媒体１３ａには、例えば、ＣＤ（Compact Disk）やＤＶＤ（Digital Versatile Disk）、ＳＤメモリカード(SD memory card）、ＵＳＢメモリ（Universal Serial Bus memory）等がある。
【００２２】
通信Ｉ／Ｆ１４は、端末装置１０をネットワークＮに接続するためのインタフェースである。端末装置１０は、通信Ｉ／Ｆ１４を介して、印刷装置２０と通信を行うことができる。
【００２３】
ＲＯＭ１５は、電源を切ってもデータを保持することができる不揮発性の半導体メモリである。ＲＡＭ１６は、プログラムやデータを一時保持する揮発性の半導体メモリである。ＣＰＵ１７は、例えば補助記憶装置１８やＲＯＭ１５等からプログラムやデータをＲＡＭ１６上に読み出して、各種処理を実行する演算装置である。
【００２４】
補助記憶装置１８は、例えばＨＤＤ（Hard Disk Drive）やＳＳＤ（Solid State Drive）等であり、プログラムやデータを格納している不揮発性のメモリである。補助記憶装置１８に格納されるプログラムやデータには、例えば、基本ソフトウェアであるＯＳ（Operating System）や各種アプリケーションプログラム等がある。撮像装置１９は、撮像範囲内を撮像して、撮像画像データを作成する。
【００２５】
本実施形態に係る端末装置１０は、図２に示すハードウェア構成を有することにより、後述する各種処理が実現される。
【００２６】
≪印刷装置２０の本体装置３０≫
次に、本実施形態に係る印刷装置２０に含まれる本体装置３０のハードウェア構成について、図３を参照しながら説明する。図３は、本実施形態に係る印刷装置２０に含まれる本体装置３０のハードウェア構成の一例を示す図である。
【００２７】
印刷装置２０の本体装置３０は、コントローラ２１と、操作パネル２２と、外部Ｉ／Ｆ２３と、通信Ｉ／Ｆ２４と、プロッタ２５とを有する。また、コントローラ２１は、ＣＰＵ２１１と、ＲＡＭ２１２と、ＲＯＭ２１３と、ＮＶＲＡＭ２１４と、補助記憶装置２１５とを有する。
【００２８】
ＲＯＭ２１３は、電源を切ってもデータを保持することができる不揮発性の半導体メモリである。ＲＡＭ２１２は、プログラムやデータを一時保持する揮発性の半導体メモリである。ＮＶＲＡＭ２１４は、例えば設定情報等を格納している。補助記憶装置２１５は、例えばＨＤＤやＳＳＤ等であり、プログラムやデータを格納している不揮発性のメモリである。
【００２９】
ＣＰＵ２１１は、ＲＯＭ２１３やＮＶＲＡＭ２１４、補助記憶装置２１５等からプログラムやデータ、設定情報等をＲＡＭ２１２上に読み出し、処理を実行することで、印刷装置２０全体の制御や機能を実現する演算装置である。
【００３０】
操作パネル２２は、ユーザからの入力を受け付ける入力部と、表示を行う表示部とを備えている。外部Ｉ／Ｆ２３は、外部装置とのインタフェースである、外部装置には、記録媒体２３ａ等がある。印刷装置２０は、外部Ｉ／Ｆ２３を介して、記録媒体２３ａの読み取りや書き込みを行うことができる。
【００３１】
記録媒体２３ａには、例えば、ＩＣカード、フレキシブルディスク、ＣＤ、ＤＶＤ、ＳＤメモリカード、ＵＳＢメモリ等がある。
【００３２】
通信Ｉ／Ｆ２４は、印刷装置２０をネットワークＮに接続するインタフェースである。印刷装置２０は、通信Ｉ／Ｆ２４を介して、端末装置１０と通信を行うことができる。プロッタ２５は、印刷データを被印刷媒体に印刷する印刷装置である。
【００３３】
本実施形態に係る印刷装置２０に含まれる本体装置３０は、図３に示すハードウェア構成を有することにより、後述するような各種処理を実現できる。
【００３４】
＜印刷装置２０の外観＞
次に、本実施形態に係る印刷装置２０の外観について説明する。
【００３５】
まず、本実施形態に係る印刷装置２０のカセット４０を取り外した状態の外観と、カセット４０を装着した状態の外観とについて、図４及び図５を参照しながら説明する。図４は、本実施形態に係る印刷装置２０のカセット４０を取り外した状態の外観斜視説明図である。図５は、本実施形態に係る印刷装置２０のカセット４０を装着した状態の外観斜視説明図である。
【００３６】
本実施形態に係る印刷装置２０は、本体装置３０内に、布地を保持（セット）するカセット４０を着脱可能に装着可能なステージ３１を備えている。カセット４０のプラテン部材５０に布地をセットした状態で、本体装置３０内のステージ３１にカセット４０を装着して保持する。これにより、本実施形態に係る印刷装置２０は、被印刷媒体である布地に所望の画像を印刷することができる。
【００３７】
次に、本実施形態に係る印刷装置２０のカセット４０の外観と、後述するプラテン外周カバー４２を開いた状態のカセット４０の外観とについて、図６及び図７を参照しながら説明する。図６は、本実施形態に係るカセット４０の一例の外観斜視説明図である。図７は、本実施形態に係るカセット４０のプラテン外周カバー４２を開いた状態の一例の外観斜視説明図である。
【００３８】
本実施形態に係る印刷装置２０のカセット４０は、トレイベース部材であるカセットベース４１と、布地の印刷が施される部分を平坦な状態で保持するプラテン部材５０とを有する。また、カセットベース４１には、外周カバー部材であるプラテン外周カバー４２がヒンジ４３で矢印方向に開閉可能に設けられている。プラテン外周カバー４２は、プラテン部材５０に対応する部分に開口部４２ａを有し、プラテン部材５０の外周部分との間で布地を押さえることができる。
【００３９】
ここで、プラテン部材５０は、カセットベース４１から着脱可能であり、交換可能に形成されている。これにより、複数のプラテン部材５０を用意し、印刷動作中に別のプラテン部材５０に布地を巻き付けておくことができ、印刷、定着終了後にプラテン部材５０を交換することで、速やかに次の布地の印刷を開始することができる。
【００４０】
カセット４０に布地をセットするときには、プラテン外周カバー４２を開いた上で、プラテン部材５０上に布地をセットする。そして、布地を印刷する場合には、布地をセットしたカセット４０を、印刷装置２０の本体装置３０のステージ３１上に装着する。このとき、カセット４０をステージ３１の移動方向からステージ３１に装着することができる。このため、カセット４０をステージ３１の直上からステージ３１に装着する構成に比べて、ステージ３１全体を本体装置３０から外に露出させる必要がなく、印刷装置２０の小型化を図ることができる。
【００４１】
このように、カセット４０は、本体装置３０から全体を取り出した状態にして、被印刷媒体である布地をプラテン部材５０上にセットすることができるので、プラテン部材５０への布地のセット作業が容易になる。また、カセット４０は、印刷装置２０で印刷が完了した後、布地を保持したまま、布地を加熱する装置にセットし、画像が印刷された布地を加熱して定着することもできる。
【００４２】
＜機能構成＞
次に、本実施形態に係る印刷システム１の機能構成について、図８を参照しながら説明する。図８は、本実施形態に係る印刷システム１の機能構成の一例を示す図である。
【００４３】
図８に示すように、本実施形態に係る端末装置１０は、入力受付部１０１と、表示制御部１０２と、撮像部１０３と、補正部１０４と、印刷画像作成部１０５と、印刷ジョブ作成部１０６とを有する。これら各部は、端末装置１０にインストールされた１以上のプログラムが、ＣＰＵ１７に実行させる処理により実現される。
【００４４】
入力受付部１０１は、ユーザによる各種操作の入力を受け付ける。例えば、入力受付部１０１は、撮像画像データを作成するための撮像操作の入力を受け付ける。また、例えば、入力受付部１０１は、印刷画像データを作成して、印刷を実行するための印刷実行操作の入力を受け付ける。
【００４５】
表示制御部１０２は、各種画面を表示する。例えば、表示制御部１０２は、ユーザが印刷画像を作成するための画面（印刷画像作成画面）を表示する。
【００４６】
撮像部１０３は、撮像装置１９により撮像範囲内を撮像して、当該撮像範囲内の画像を示す撮像画像データを作成する。
【００４７】
補正部１０４は、撮像部１０３により作成された撮像画像データを補正して、印刷画像作成画面上に表示される背景画像を示す背景画像データを作成する。すなわち、補正部１０４は、被印刷媒体（布地）がセットされたカセット４０を撮像することで作成された撮像画像データから、プラテン外周カバー４２と、プラテン部材５０上の被印刷媒体との境界を示すエッジ部分を検出する。言い換えれば、補正部１０４は、被印刷媒体における印刷可能領域の境界をエッジ部分として検出する。
【００４８】
そして、補正部１０４は、検出したエッジ部分を切り出した上で、歪み補正等を行うことで、背景画像データを作成する。
【００４９】
印刷画像作成部１０５は、入力受付部１０１が受け付けた印刷実行操作に応じて、被印刷媒体上に印刷する印刷画像データを作成する。
【００５０】
印刷ジョブ作成部１０６は、印刷画像作成部１０５が作成した印刷画像データを印刷装置２０が解釈可能な印刷データに変換した上で、当該印刷データが含まれる印刷ジョブを作成する。そして、印刷ジョブ作成部１０６は、作成した印刷ジョブを印刷装置２０に送信する。
【００５１】
図８に示すように、本実施形態に係る印刷装置２０は、印刷処理部２０１を有する。印刷処理部２０１は、印刷装置２０にインストールされた１以上のプログラムが、ＣＰＵ２１１に実行させる処理により実現される。
【００５２】
印刷処理部２０１は、端末装置１０から受信した印刷ジョブを実行して、当該印刷ジョブに含まれる印刷データを被印刷媒体（布地）上に印刷する。
【００５３】
＜事前準備手順＞
ここで、被印刷媒体上に画像を印刷する前に行う必要がある事前準備作業について、図９を参照しながら説明する。図９は、事前準備手順の一例を説明する図である。
【００５４】
手順１）まず、ユーザは、被印刷媒体であるＴシャツ等の布地３００上の印刷したい場所に任意のマーキングを行って、マーカＭを布地３００に付与する。このとき、ユーザは、例えば所定の温度以上の熱で消えるインクや洗濯で消えるインク等を使用したペンを用いてマーキングを行うことが好ましい。
【００５５】
ただし、マーキングは、例えば、被印刷媒体にシール等を貼り付けることで行っても良い。また、例えば、Ｔシャツ等のポケットの位置に画像を印刷したい場合等には、必ずしもマーキングを行う必要はない。すなわち、画像の位置合わせに必要な何かしらの目印が既に被印刷媒体上に存在し、当該目印が撮像可能である場合には、ユーザは、マーキングを行う必要はない。
【００５６】
手順２）次に、ユーザは、マーカＭを付与した布地３００をカセット４０にセットする。このとき、ユーザは、布地３００に付与されたマーカＭが、開口部４２ａを通して視認可能なように布地３００をカセット４０にセットする。言い換えれば、ユーザは、布地３００に付与されたマーカＭが、撮像可能なようにカセット４０にセットする。
【００５７】
これにより、事前準備手順が完了する。後述するように、事前準備手順の完了後、ユーザは、布地３００がセットされたカセット４０を端末装置１０で撮像することで、布地３００に印刷する画像の位置合わせを容易に行うことができるようになる。
【００５８】
＜印刷処理＞
次に、本実施形態に係る印刷システム１の印刷処理について、図１０を参照しながら説明する。図１０は、本実施形態に係る印刷処理の一例を示すシーケンス図である。
【００５９】
まず、端末装置１０の表示制御部１０２は、例えば図１１に示すトップ画面Ｇ１００を表示する（ステップＳ１０１）。トップ画面Ｇ１００は、例えば、布地３００に印刷する画像の位置合わせを行うためのアプリケーションを起動することで表示される。
【００６０】
図１１に示すトップ画面Ｇ１００には、次の画面に遷移するためのスタートボタンＧ１１０が含まれる。ユーザは、スタートボタンＧ１１０を押下することで、次の印刷設定画面への画面遷移操作を行うことができる。
【００６１】
次に、端末装置１０の表示制御部１０２は、入力受付部１０１が画面遷移操作を受け付けると、例えば図１１に示す印刷設定画面Ｇ２００を表示する（ステップＳ１０２）。
【００６２】
図１１に示す印刷設定画面Ｇ２００には、被印刷媒体上に印刷する画像のサイズを選択するサイズ選択欄Ｇ２１０と、被印刷媒体上に印刷する画像の向きを選択する向き選択欄Ｇ２２０と、撮像画面を表示するための撮像開始ボタンＧ２３０とが含まれる。ユーザは、所望のサイズ及び所望の向きをそれぞれサイズ選択欄Ｇ２１０及び向き選択欄Ｇ２２０から選択した上で、撮像開始ボタンＧ２３０を押下することで、次の撮像画面への画面遷移操作を行うことができる。
【００６３】
次に、端末装置１０の表示制御部１０２は、入力受付部１０１が画面遷移操作を受け付けると、撮像装置１９を起動して、例えば図１１に示す撮像画面Ｇ３００を表示する（ステップＳ１０３）。
【００６４】
図１１に示す撮像画面Ｇ３００には、撮像装置１９の撮像範囲内を示す画像が表示される。また、図１１に示す撮像画面Ｇ３００には、撮像範囲内を撮像するための撮像ボタンＧ３１０が含まれる。ユーザは、撮像装置１９の撮像範囲内に、布地３００がセットされたカセット４０が入るようにした上で、撮像ボタンＧ３１０を押下することで、撮像操作を行うことができる。
【００６５】
次に、端末装置１０の入力受付部１０１は、ユーザによる撮像操作の入力を受け付ける（ステップＳ１０４）。
【００６６】
次に、端末装置１０の撮像部１０３は、入力受付部１０１が撮像操作の入力を受け付けると、撮像装置１９により撮像範囲内を撮像して、撮像画像データを作成する（ステップＳ１０５）。
【００６７】
次に、端末装置１０の補正部１０４は、撮像部１０３が作成した撮像画像データを補正して、背景画像データを作成する（ステップＳ１０６）。
【００６８】
ここで、撮像画像データを補正して、背景画像データを作成する処理について、図１２を参照しながら説明する。
【００６９】
まず、補正部１０４は、撮像部１０３により作成された撮像画像データが示す撮像画像Ｐ１００から、プラテン外周カバー４２と、プラテン部材５０上の被印刷媒体との境界を示すエッジ部分Ｐ１１０を検出する（Ｓｔｅｐ１）。言い換えれば、補正部１０４は、被印刷媒体における印刷可能領域の境界を、エッジ部分Ｐ１１０として検出する。
【００７０】
補正部１０４は、例えば、撮像画像Ｐ１００の中から複数の直線を特定した上で、特定した直線で囲まれる四角形の面積のうち、所定の面積以上である四角形の境界をエッジ部分Ｐ１１０として検出すれば良い。所定の面積の四角形は、例えば、撮像画像Ｐ１００が６４０×４８０ピクセルである場合には、総ピクセル数が１０００００ピクセル以上の四角形とすれば良い。これにより、被印刷媒体上に四角形のマーカＭが存在する場合（上述の「」ではなく四角形をペイントした場合）や意図せず撮影されたカセット４０脇にある伝票等の書類がある場合等、実際の被印刷媒体のエッジ部分でない四角形が背景画像Ｐ２００を作成するデータとなることを回避できる。
【００７１】
なお、カセット４０が本体装置３０から着脱可能であることにより、例えば、本体装置３０に存在する四角形の部品等が撮像画像Ｐ１００内に含まれてしまう事を防止することができる。更に、被印刷媒体のエッジ部分の面積に近い部品がある場合は、カセット４０を印刷装置２０から離間して撮影できるため部品が撮影範囲外となり上記エッジ部分Ｐ１１０を高い精度で検出することができる。また、印刷媒体のエッジ部分以上の面積を有する四角形が撮影された場合に備えて所定の面積の上限値を設定することも可能である。
【００７２】
次に、補正部１０４は、エッジ部分Ｐ１１０で囲まれる範囲の画像を撮像画像Ｐ１００から切り出した上で、回転や拡大・縮小、歪み補正等を行って、背景画像データを示す背景画像Ｐ２００を作成する（Ｓｔｅｐ２）。このとき、補正部１０４は、背景画像Ｐ２００のサイズ及び向きが、印刷設定画面Ｇ２００で設定されたサイズ及び向きになるように、回転や拡大・縮小、歪み補正等を行う。例えば、サイズ選択欄Ｇ２１０で設定されたサイズを示す情報に基づいて拡大・縮小と歪み補正とを行って、向き選択欄Ｇ２２０で設定された向きを示す情報に基づいて回転を行う。
【００７３】
これにより、後述する印刷画像作成画面Ｇ４００に背景として表示される背景画像Ｐ２００が作成される。
【００７４】
なお、上記のＳｔｅｐ２において、所定の面積未満である四角形が撮影された場合で、かつ、当該四角形が印刷媒体上のポケットや画像等、回転や歪みについての指標となる場合は、所定の面積未満である四角形についても回転や歪み補正を実行し、生成された背景画像データを、所定の面積以上の四角形の回転や歪み補正が正しく実行されたかどうかの検証データとして利用することができる。
【００７５】
図１０に戻る。端末装置１０の表示制御部１０２は、補正部１０４により背景画像データが作成されると、例えば図１２（ａ）に示す印刷画像作成画面Ｇ４００を表示する（ステップＳ１０７）。
【００７６】
図１２（ａ）に示す印刷画像作成画面Ｇ４００には、被印刷媒体上に印刷する画像を配置するための画像配置領域Ｇ４１０と、画像配置領域Ｇ４１０に配置可能な印刷対象画像の一覧Ｇ４２０と、印刷を実行するための印刷実行ボタンＧ４３０とが含まれる。また、画像配置領域Ｇ４１０には、背景画像データが示す背景画像Ｐ２００が背景として表示されている。したがって、画像配置領域Ｇ４１０には、背景画像Ｐ２００に含まれるマーカＭも背景として表示されている。
【００７７】
図１２（ｂ）に示すように、ユーザは、印刷対象画像の一覧Ｇ４２０から所望の印刷対象画像Ｇ４２１を選択した上で、画像配置領域Ｇ４１０に配置することで、被印刷媒体上に画像を印刷するための印刷画像を作成することができる。このとき、ユーザは、画像配置領域Ｇ４１０に背景として表示されている背景画像Ｐ２００のマーカＭを参考にして、所望の印刷対象画像Ｇ４２１を画像配置領域Ｇ４１０の所望の位置に配置する。言い換えれば、ユーザは、所望の印刷対象画像Ｇ４２１をマーカＭの位置へ位置合わせを行いながら、当該印刷対象画像Ｇ４２１を配置することができる。これにより、印刷設定画面Ｇ２００で設定されたサイズ及び向きの印刷画像を作成することができる。
【００７８】
ユーザは、画像配置領域Ｇ４１０への印刷対象画像の配置が完了した場合、印刷実行ボタンＧ４３０を押下することで、印刷実行操作を行うことができる。
【００７９】
なお、図１２に示す印刷画像作成画面Ｇ４００では、ユーザは、印刷対象画像の一覧Ｇ４２０から所望の印刷対象画像（例えば、予め記憶されているアイコン画像等）を選択する場合について説明したが、これに限られない。ユーザは、例えば、補助記憶装置１８に記憶されている任意の画像を画像配置領域Ｇ４１０に配置しても良いし、撮像装置１９により撮像した画像を画像配置領域Ｇ４１０に配置しても良い。また、画像を画像配置領域Ｇ４１０に配置する際に、ユーザは、当該画像を拡大や縮小、回転、色の変更等した上で配置しても良い。
【００８０】
図１０に戻る。端末装置１０の入力受付部１０１は、ユーザによる印刷実行操作の入力を受け付ける（ステップＳ１０８）。
【００８１】
次に、端末装置１０の印刷画像作成部１０５は、入力受付部１０１が印刷実行操作を受け付けると、被印刷媒体上に印刷する印刷画像データを作成する（ステップＳ１０９）。すなわち、印刷画像作成部１０５は、印刷画像作成画面Ｇ４００の画像配置領域Ｇ４１０に配置された印刷対象画像を被印刷媒体上に印刷するための印刷画像データを作成する。このとき、印刷画像作成部１０５は、印刷設定画面Ｇ２００で設定されたサイズ及び向きで、被印刷媒体上に印刷画像を印刷するための印刷画像データを作成する。なお、印刷画像データにより印刷される印刷画像には、背景画像Ｐ２００は含まれない。
【００８２】
次に、端末装置１０の印刷ジョブ作成部１０６は、印刷ジョブを作成する（ステップＳ１１０）。すなわち、印刷ジョブ作成部１０６は、印刷画像作成部１０５が作成した印刷画像データを印刷装置２０が解釈可能な印刷データに変換した上で、当該印刷データが含まれる印刷ジョブを作成する。
【００８３】
次に、端末装置１０の印刷ジョブ作成部１０６は、上記のステップＳ１１０で作成した印刷ジョブを印刷装置２０に送信する（ステップＳ１１１）。
【００８４】
印刷処理部２０１は、端末装置１０から印刷ジョブを受信すると、受信した印刷ジョブを実行して、当該印刷ジョブに含まれる印刷データを被印刷媒体（布地）上に印刷する（ステップＳ１１２）。これにより、ユーザにより作成された印刷画像が被印刷媒体上に印刷される。
【００８５】
＜まとめ＞
以上のように、本実施形態に係る印刷システム１では、ユーザは、布地等の被印刷媒体にマーカＭを付与し、カセット４０にセットした上で、端末装置１０を用いて、被印刷媒体がセットされたカセット４０を撮像する。そして、本実施形態に係る印刷システム１では、撮像された被印刷媒体を背景とした印刷画像作成画面Ｇ４００を端末装置１０上に表示する。これにより、ユーザは、端末装置１０上に表示された印刷画像作成画面Ｇ４００において、被印刷媒体に付与されたマーカＭを参考にして、印刷画像の位置合わせを容易に行うことができるようになる。
【００８６】
なお、本実施形態に係る印刷システム１は、端末装置１０と印刷装置２０とを同一のユーザが利用する場合に限られない。例えば、Ｔシャツ等の衣類に所望の画像を印刷するサービスを提供する店舗において、お客が自身の端末装置１０（例えばスマートフォン等）を利用して撮像及び印刷画像の作成を行った上で、店員が印刷装置２０を用いて被印刷媒体上に印刷画像を印刷する場合でも良い。
【００８７】
以上、本発明の実施形態について詳述したが、本発明は斯かる特定の実施形態に限定されるものではなく、特許請求の範囲に記載された本発明の要旨の範囲内において、種々の変形や変更が可能である。
【符号の説明】
【００８８】
１        印刷システム
１０      端末装置
２０      印刷装置
３０      本体装置
４０      カセット
１０１    入力受付部
１０２    表示制御部
１０３    撮像部
１０４    補正部
１０５    印刷画像作成部
１０６    印刷ジョブ作成部
２０１    印刷処理部
【先行技術文献】
【特許文献】
【００８９】
【特許文献１】特開２００５−４５６４４号公報
【図１】
2018196074.tif 000003
【図２】
2018196074.tif 000004
【図３】
2018196074.tif 000005
【図４】
2018196074.tif 000006
【図５】
2018196074.tif 000007
【図６】
2018196074.tif 000008
【図７】
2018196074.tif 000009
【図８】
2018196074.tif 000010
【図９】
2018196074.tif 000011
【図１０】
2018196074.tif 000012
【図１１】
2018196074.tif 000013
【図１２】
2018196074.tif 000014
【図１３】
2018196074.tif 000015